(57)【要約】【課題】  所望領域のパワーリザーブ量を高精度に表示し得るパワーリザーブ表示機構及びこれを備えた機械式時計を提供すること【解決手段】  機械式時計のパワーリザーブ表示機構２は、ぜんまいの巻上げに応じて一方向Ｅ１に回転され該ぜんまいの巻き戻しに応じて反対方向Ｅ２に回転される第一の車５０であって、外周に複数の係合つめ５１を不等間隔に備えるもの５０と、一方向に回転された際にパワーリザーブ量の表示指針７６を一方向Ａ１に変位させ反対方向に回転された際にパワーリザーブ量の表示指針７６を反対方向Ａ２に変位させる第二の車７０であって、第一の車５０の前記複数の係合つめ５１と係合可能な係合つめ７３を等間隔に備えるものとを有する。第一の車５０は、一部の角度範囲に第一の複数個の係合つめ５１を等間隔に備え、別の一部の角度範囲に第二の複数個の係合つめを欠く係合つめ欠落領域５３を備える。【選択図】  図４
2008175737.tif 000002
【特許請求の範囲】
【請求項１】
時計のぜんまいの巻上げに応じて一方向に回転され該ぜんまいの巻き戻しに応じて反対方向に回転される第一の車であって、外周に複数の係合つめを不等間隔に備えるものと、
一方向に回転された際にパワーリザーブ量の表示手段を一方向に変位させ反対方向に回転された際にパワーリザーブ量の表示手段を反対方向に変位させる第二の車であって、前記第一の車の前記複数の係合つめと係合可能な係合つめを等間隔に備えるものとを有するパワーリザーブ表示機構。
【請求項２】
前記第一の車が、外周のうち一部の角度範囲に第一の複数個の係合つめを等間隔に備えると共に別の一部の角度範囲に第二の複数個の係合つめを欠く係合つめ欠落領域を備え、前記第一の車の係合つめ欠落領域が前記第二の車の係合つめに対面する場合には、該第一の車から前記第二の車への回転の伝達が禁止される請求項１に記載のパワーリザーブ表示機構。
【請求項３】
パワーリザーブ量が所定レベル以下にある際、前記係合つめ欠落領域が前記第二の車の係合つめに対面するように構成された請求項２に記載のパワーリザーブ表示機構。
【請求項４】
パワーリザーブ量が所定レベル以上にある際、前記係合つめ欠落領域が前記第二の車の係合つめに対面するように構成された請求項２に記載のパワーリザーブ表示機構。
【請求項５】
前記第二の車の回転を躍制するジャンパを更に備える請求項１から４までのいずれか一つの項に記載のパワーリザーブ表示機構。
【請求項６】
前記第二の車の回転可能範囲を規制する回転範囲規制手段を更に備える請求項１から５までのいずれか一つの項に記載のパワーリザーブ表示機構。
【請求項７】
前記第二の車が巻印車である請求項１から６までのいずれか一つの項に記載のパワーリザーブ表示機構。
【請求項８】
遊星車機構を備え、前記第一の車が該遊星車機構の最終段の車である請求項７に記載のパワーリザーブ表示機構。
【請求項９】
ぜんまいがフル巻上げされた際、前記第二の車の回転を規制する係合つめを前記第一の車が備える請求項１から８までのいずれか一つの項に記載のパワーリザーブ表示機構。
【請求項１０】
請求項１から９までのいずれか一つの項に記載のパワーリザーブ表示機構を備えた機械式時計。
【発明の詳細な説明】
【技術分野】
【０００１】
本発明は、パワーリザーブ表示機構及びこれを備えた機械式時計に係る。
【背景技術】
【０００２】
ぜんまいを駆動源として用いる機械式時計において、ぜんまいにより駆動可能な残り時間（この明細書では、「パワーリザーブ量」ないし「パワーリザーブ」又は「ぜんまい残量」ともいう）を表示するパワーリザーブ表示機構として、種々のものが開発されている。
【０００３】
パワーリザーブ表示機構は、一方向又は反対方向の回転に応じてパワーリザーブ量を表示する巻印表示指針を一方向又は反対方向に回動させる巻印車と、該巻印車に係合した駆動車を備えた巻印車回転機構とを有し、該駆動車は、ぜんまいの巻上げに応じて一方向に回転される際に前記巻印車を前記一方向に回転させ、該ぜんまいの巻き戻しに応じて反対方向に回転される際に巻印車を前記反対方向に回転させる。
【０００４】
従来のパワーリザーブ表示機構では、典型的には、巻印車が外周に等間隔に係合歯を備え、巻印車回転機構も巻印車の係合歯に係合した係合歯を外周に等間隔に備える係合歯車を備える（例えば、特許文献１）。
【０００５】
従って、従来のパワーリザーブ表示機構では、ぜんまいの巻上げ又は巻き戻しに伴うパワーリザーブ量の変動に比例して、巻印車回転機構の係合歯車及び巻印車が等角度（等速）回転され、巻印表示指針が、実際上常に、ぜんまい残量に比例した角度だけ回動される。
【０００６】
なお、占有スペースを最低限にして減速を行わせるために１８０度の等角度間隔で周方向の二箇所に係合つめを備えるつめ車を歯車の代わりに用いるようにしたパワーリザーブ表示機構も提案されている（特許文献２）。この特許文献２のパワーリザーブ表示機構も、ぜんまいの巻上げ又は巻き戻しに伴うパワーリザーブ量の変動に比例して、巻印車回転機構の係合歯車及び巻印車が等角度（等速）回転され、巻印表示指針が、実際上常に、ぜんまい残量に比例した角度だけ回動される点では、特許文献１と同様である。
【０００７】
しかしながら、巻印表示指針により表示される表示領域は、通常、文字板の一部の領域に形成された扇形領域であって狭いことから、所望のパワーリザーブ量が正確には視認し難い。
【特許文献１】特開平１１−１８３４６２号公報
【特許文献２】特許第２７５７１４７号明細書
【発明の開示】
【発明が解決しようとする課題】
【０００８】
本発明は、前記した点に鑑みなされたものであって、その目的とするところは、所望領域のパワーリザーブ量を高精度に表示し得るようにしたパワーリザーブ表示機構及びこれを備えた機械式時計を提供することにある。
【課題を解決するための手段】
【０００９】
本発明のパワーリザーブ表示機構は、前記目的を達成すべく、時計のぜんまいの巻上げに応じて一方向に回転され該ぜんまいの巻き戻しに応じて反対方向に回転される第一の車であって、外周に複数の係合つめを不等間隔（「非等間隔」と言ってもよい）に備えるものと、一方向に回転された際にパワーリザーブ量の表示手段を一方向に変位させ反対方向に回転された際にパワーリザーブ量の表示手段を反対方向に変位させる第二の車であって、前記第一の車の前記複数の係合つめと係合可能な係合つめを等間隔に備えるものとを有する。
【００１０】
本発明のパワーリザーブ表示機構では、複数の係合つめを外周に不等間隔に備える第一の車の該不等間隔な係合つめによって第二の車が回転されるので、ぜんまいの巻上げや巻き戻しの際、第一の車の回転が第二の車に非等速に伝達され、所望領域のパワーリザーブ量（ぜんまい残量）が他の領域のパワーリザーブ量よりも広い範囲で表示され得、前記所望領域のパワーリザーブ量が高精度に表示され得る。
【００１１】
パワーリザーブ量表示手段すなわちパワーリザーブ量の表示手段は、典型的には、扇形領域に沿って回動される表示指針からなる。但し、１８０度以上（例えば、３６０度程度又はそれ以上）回転されても、直線状に移動されても、他の経路に沿って変位されてもよい。
【００１２】
以上において、第一の車の複数の係合つめについて、周方向に隣接する係合つめの間隔が種々に異なっていてもよいけれども、本発明のパワーリザーブ表示機構では、典型的には、前記第一の車が、外周のうち一部の角度範囲に第一の複数個の係合つめを等間隔に備えると共に別の一部の角度範囲に第二の複数個の係合つめを欠く係合つめ欠落領域を備え、前記第一の車の係合つめ欠落領域が第二の車の係合つめに対面する場合には、第一の車が実際上空回りして、第一の車から第二の車への回転の伝達が禁止される。
【００１３】
この場合、係合つめ欠落領域として前記所望の領域以外の領域を選択しておくことにより、当該欠落領域に対応する領域以外の領域において、パワーリザーブ量の変動を実際上拡大表示し当該領域のパワーリザーブ量が高精度に視認可能になる。
【００１４】
以上において、係合つめ欠落領域は、典型的には、連続的な一箇所であるけれども、所望ならば、非連続的な複数箇所であってもよい。
【００１５】
本発明のパワーリザーブ表示機構の一つの典型的な態様では、パワーリザーブ量が所定レベル以下にある際、前記係合つめ欠落領域が前記第二の車の係合つめに対面するように構成される。
【００１６】
この場合、パワーリザーブ量が前記所定レベル以上の領域において、パワーリザーブ量の変動が実際上拡大して表示されるので、パワーリザーブ量が所定レベル以上の当該領域においてパワーリザーブ量が高精度に表示され得る。機械式時計では、一般に、ぜんまいがフル巻上げ状態に比較的近い巻上げ状態において、歩度が小さく計時・運針の正確性が高い。従って、機械式時計を高精度に保つための十分なぜんまい巻上げ領域を強調表示することになる。すなわち、ユーザが、パワーリザーブ量の変動が拡大表示される領域にパワーリザーブ量を保つように、機械式時計を使用するだけで、ユーザは、正確な計時・運針が可能な最適領域で機械式時計を使用し得ることになる。
【００１７】
なお、この場合でも、所定レベル以下の全領域で第二の車の回転を禁止する代わりに、一部の領域（例えば、パワーリザーブ量がゼロ〜その近傍領域においては、第二の車の回転を可能にしておいてもよい。その場合、パワーリザーブ量が少ないけれども時計が一応の精度で動く状態と、実際上パワーリザーブ量が実際上ゼロで時計が実際上停止してしまう状態とを区別し得る。
【００１８】
なお、本発明のパワーリザーブ表示機構の別の一つの典型的な態様では、パワーリザーブ量が所定レベル以上にある際、前記係合つめ欠落領域が前記第二の車の係合つめに対面するように構成される。
【００１９】
この場合、パワーリザーブ量が前記所定レベル以下の領域において、パワーリザーブ量を実際上拡大して表示されるので、パワーリザーブ量が所定レベル以下の当該領域においてパワーリザーブ量が高精度に表示され得る。従って、機械式時計の計時・運針の持続を明確にし、該持続の終了による時計の停止を強調表示することになる。すなわち、パワーリザーブ量が少ない領域で、パワーリザーブ量を正確に知った上で時計を利用すること及び時計の運針が停止した場合に該停止がぜんまいの実際上完全な巻戻しによることをユーザに伝え易い。
【００２０】
なお、この場合でも、所定レベル以上の全領域で第二の車の回転を禁止する代わりに、一部の領域（例えば、パワーリザーブ量が最大量及びその近傍領域）においては、第二の車の回転を可能にしておき、ぜんまいのフル巻上げが完了したことを視認可能にしておいてもよい。
【００２１】
本発明のパワーリザーブ表示機構では、典型的には、前記第二の車の回転を躍制するジャンパを更に備える。
【００２２】
この場合、つめ車が相互に実際上係合していない場合であっても、第二の車の回転位置がずれるのを、ジャンパの躍制爪により防ぎ得る。なお、第一の車は、香箱側の輪列に係合しているので、不測の回転が生じる虞れは実際上ない。
【００２３】
本発明のパワーリザーブ表示機構では、典型的には、前記第二の車の回転可能範囲を規制する回転範囲規制手段を更に備える。
【００２４】
この場合、第二の車に不測の外力がかかっても、第二の車の回転位置が大きくずれるのを抑制し得、位置ズレが少ない場合には、ぜんまいのフル巻上げの際に、第二の車の回動位置を所定位置に戻すことも可能になる。なお、ここで、回転範囲規制手段は、典型的には、第二の車又は該第二の車により回転される巻印輪列の車に形成される扇形開口と該開口に遊嵌される巻印度決めピンとからなる。
【００２５】
本発明のパワーリザーブ表示機構では、典型的には、前記第二の車が巻印車である。この場合、巻印指針に実際上直接的に回転を伝達し得る。但し、巻印輪列の最終段を複数の車で構成する場合には、第二の車は、巻印車よりも上流側に位置する巻印伝え車であってもよい。
【００２６】
また、本発明のパワーリザーブ表示機構では、典型的には、遊星車機構を備え、前記第一の車が該遊星車機構の最終段の車、典型的には、第二太陽車である。この場合、巻印指針に実際上直接的に回転を伝達し得る。但し、巻印輪列の最終段の車を複数の車で構成する場合には、第一の車は、遊星車機構の最終段の車の回転を巻印車に伝える巻印伝え車であってもよい。
【００２７】
本発明のパワーリザーブ表示機構では、典型的には、ぜんまいがフル巻上げされた際、前記第二の車の回転を規制する係合つめを前記第一の車が備える。
【００２８】
この場合、第一の車に対して第二の車の回転位相がずれるような不測の小回転が第二の車に生じても、ぜんまいがフル巻上げされた際に、第二の車を所定位置に戻すことが可能になる。
【００２９】
なお、ぜんまいが完全に巻戻された際に、前記第二の車の回転を規制する係合つめを前記第一の車が備えていてもよい。その場合、パワーリザーブ量がゼロになった際に、第二の車を所定位置に戻すことが可能になる。
【００３０】
本発明の機械式時計は、典型的には、上述のようなパワーリザーブ表示機構を備える。なお、機械式時計は、手巻き式（巻真を回すことによりぜんまいを巻上げる方式）であっても、自動巻式（回転錘の回動（揺動）に応じてぜんまいを巻上げる方式）であっても、両方の方式を兼ね備えていてもよい。
【発明を実施するための最良の形態】
【００３１】
本発明の好ましい一実施の形態を添付図面に示した好ましい実施例に基づいて説明する。
【実施例】
【００３２】
図１及び図２に示した本発明の好ましい一実施例の機械式時計１は、本発明の好ましい一実施例のパワーリザーブ表示機構２を備える。
【００３３】
図２の縦断面図からわかるように、時計１は、各種可動部品を支えるべく、静置支持体として、地板１０、第二地板１２、一番受１４及び第二輪列受１８を備える。
【００３４】
地板１０と一番受１４との間には、香箱２０が中心軸線Ｃ５のまわりで回転可能に支持されている。香箱２０は、香箱蓋２８と協働してぜんまい２１が収容される室２９を形成し且つぜんまい２１の外周端部が係合された香箱車２２と、ぜんまい２１の内周端部が固定された香箱真２３と、該香箱真２３に固定された角穴車２４とを有する。香箱車２２は、大径部の外周に香箱歯車２５を有し、香箱真２３が貫通した小径部に香箱かな２６を有する。香箱真２３は、突出端部に香箱真かな２７を有する。
【００３５】
ぜんまい２１は、図示しない巻真の手動回転（手巻）及び回転錘１６の回動（自動巻）に応じた角穴車２４のＢ１方向回転により、巻上げられる。勿論、手巻又は自動巻の一方のみであってもよい。
【００３６】
パワーリザーブ表示機構２は、遊星車機構３０及び巻印表示機構６０を有する。遊星車機構３０と香箱真かな２７との間には、遊星伝え車９０が配置されている。遊星伝え車９０は、中心軸線Ｃ２のまわりで回転される第一遊星伝え車９１及び第二遊星伝え車９２を有する。第一遊星伝え車９１は香箱真かな２７に噛合され、第二遊星伝え車９２は負荷が過大になると遊星伝え真９３に対してスリップ回転可能なように該遊星伝え真９３にスリップ係合されている。
【００３７】
遊星車機構３０は、中心軸線Ｃ１のまわりで回転可能な第一太陽車３１、第二太陽車４０及び遊星中間車３４と、該遊星中間車３４の円板状本体部３５の偏心位置において中心軸線Ｃ３のまわりで一体的に回転可能な第一遊星車３７及び第二遊星車３８とを有する。第一太陽車３１は、大径歯車部（第一太陽歯車）３２で香箱かな２６に噛合され、小径歯車部（第一太陽かな）３３で第一遊星車３７に噛合されている。遊星中間車３４は、円板状本体部３５の外周の歯車部（遊星中間歯車）３６で第二遊星伝え車９２に噛合されている。第二太陽車４０は、小径の歯車部（かな部）４１及び大径のつめ車部５０を備え、小径歯車部（第二太陽かな）４１で第二遊星車３８に噛合されている。
【００３８】
ぜんまい２１の巻上げの際には、香箱車２２が実際上静止した状態にあるので、香箱かな２６に噛合した第一太陽車３１が固定車になる。従って、ぜんまい２１の巻上げのために角穴車２４及びこれに連結された香箱真２３がＢ１方向に回転されると、香箱真かな２７に噛合した遊星伝え車９０がＤ１方向に回転され、遊星伝え車９０の回転に応じて遊星機構３０の遊星中間車３４がＥ１方向に回転される。遊星中間車３４のＥ１方向回転に応じて、固定車として働く第一太陽車３１のまわりで遊星車３７，３８がＥ１方向に公転される。第二遊星車３８の径が第一遊星車３７の径よりも小さいので、遊星車３７，３８のＥ１方向公転に応じて第二遊星車３８に噛合した第二太陽車４０のかな部（第二太陽かな）４１がＥ１方向に回転され、第二太陽車４０のつめ車５０がＥ１方向に回転される。
【００３９】
一方、ぜんまい２１の巻戻しの際には、角穴車２４の回転がこはぜ（図示せず）により規正されているので、遊星伝え車９０を介して香箱真かな２７に噛合された遊星中間車３４が固定車として働く。従って、ぜんまい２１の巻戻しに応じた香箱２２のＢ１方向回転に応じて、香箱かな２６に噛合した第一太陽車３１がＥ２方向に回転される。第一太陽車３１がＥ２方向に回転されると、遊星車３７，３８を介して、第二太陽車４０のかな部（第二太陽かな）４１がＥ２方向に回転され、第二太陽車４０のつめ車５０がＥ２方向に回転される。
【００４０】
巻印表示機構６０は、円板状本体部７１及びつめ車部７２を備えた巻印車７０と、巻印車７０の躍制用巻印ジャンパ６２と、巻印車７０の中心軸線Ｃ４のまわりでの回動範囲規制機構８０とを有する。つめ車部７２は、係合つめ７３，７３，７３，・・・を外周に等間隔に備える。
【００４１】
巻印車７０の回動範囲規制機構８０は、巻印車７０の円板状本体部７１に形成された扇形の開口８１と、該開口８１内に遊嵌された巻印度決めピン８２とを有する。巻印度決めピン８２は、基端部で第二地板１２に植設され、開口８１内に遊嵌された先端部８３が、扇形の開口８１の側縁８４，８５に当接する範囲内で巻印車７０のＡ１，Ａ２方向の回転を許容する。巻印ジャンパ６２は、一端６５で第二地板１２に固定され、躍制用頭部６３がばね部６４によりつめ車部７２の外周の係合つめ７３，７３に押付けられてつめ車部７２のＡ１，Ａ２方向の回転を躍制する。
【００４２】
第二太陽車４０のつめ車部５０は、図１に加えてその一部を拡大して示した図３からわかるように、外周のうち一部の角度範囲φ１にＮ１個の係合つめ５１，５１，５１，・・・を等角度間隔α（ここで、α＝φ１／Ｎ１）で備えた係合可能領域５２と、残りの角度範囲φ２につめ５１を欠く係合つめ欠落領域５３とを有する。ここで、係合つめ欠落領域５３の角度範囲φ２は、つめ５１が等間隔αで配置されると仮定すると、該つめ５１がＮ２個（ここで、Ｎ２＝φ２／αであり、Ｎ２は整数でなくてもよい）配置される拡がりをもつ領域である。図示された例では、Ｎ１＝８，Ｎ２＝４である。
【００４３】
第二太陽車４０のつめ車部５０の係合つめ５１は、巻印車７０のつめ車部７２の係合つめ７３に係合可能で、第二太陽車４０の係合つめ５１が巻印車７０の係合つめ７３に係合する範囲では、第二太陽車４０がＥ１，Ｅ２方向に回転されると、該回転に応じて、巻印車７０がＡ１，Ａ２方向に回転される。一方、第二太陽車４０のつめ車部５０のうち係合つめ欠落領域５３が巻印車７０のつめ車部７２に対面する角度範囲では、第二太陽車４０がＥ１，Ｅ２方向に回転されても、該第二太陽車４０の回転は、巻印車７０に伝達されず、巻印車７０は、不動に保たれる。
【００４４】
以上の如く構成されたパワーリザーブ表示機構２を機械式腕時計１に組込むに際しては、第二太陽車４０のつめ車５０の係合可能領域５２及び係合つめ欠落領域５３とぜんまい２１の巻上げ状態ないし巻戻し状態との対応付けについて、典型的には、二種類の形態ないし態様がある。
【００４５】
以下では、まず、第二太陽車４０のつめ車５０の係合つめ欠落領域５３が所定時間以下のパワーリザーブ量Ｒに対応する形態ないし態様のパワーリザーブ表示機構２Ａに関し、その操作及び動作について主として図４に基づいて説明する。
【００４６】
ぜんまい２１（図２）が完全に巻戻された状態Ｓ１では、図４の（ａ）に示されたように、巻印車７０は、該巻印車７０の扇形開口８１の端縁８５が度決めピン８２に当接する初期位置ないしＡ２方向最大回転位置Ｐ１を採る。パワーリザーブ量Ｒがゼロのこの状態Ｓ１では、第二太陽車４０のつめ車５０の係合可能領域５２と係合つめ欠落領域５３との境界５４が巻印車７０の係合つめ７３にほぼ対面する位置（より厳密には、０．５個分だけＥ１方向にズレた位置）Ｑ１を採る。
【００４７】
巻印車７０が、位置Ｑ１にある場合、図４の（ｂ）に示したように、巻印真７５に取付けられたパワーリザーブ表示指針７６は、パワーリザーブ表示目盛７７のゼロ位置Ｒ１を指している。このゼロ位置Ｒ１には、例えば、巻上げを促す「ＷＩＮＤ」の表示がある。
【００４８】
状態Ｓ１において、角穴車２４がＢ１方向に回転されると、香箱真かな２７のＢ１方向回転、遊星伝え車９０のＤ１方向回転、遊星中間車３４のＥ１方向回転及び遊星車３７，３８のＥ１方向公転を介して、第二太陽車４０のかな部（第二太陽かな）４１がＥ１方向に回転されて、第二太陽車４０のつめ車５０がＥ１方向に回転される。
【００４９】
パワーリザーブ量Ｒがゼロの状態Ｓ１からぜんまい２１の巻上げに応じて第二太陽車４０のつめ車５０がＥ１方向に回転されても、係合つめ欠落領域５３が巻印車７０の係合つめ７３に対面している間は、第二太陽車４０の回転は、巻印車７０には伝達されず、巻印車７０が不動に保たれ、巻印指針７６も動かず、目盛７７の「ＷＩＮＤ」を指したままに保たれる。なお、この間、図４の（ａ）からわかるように、巻印ジャンパ６２の躍制頭部６３がばね６４の弾性力で巻印車７０の係合つめ７３，７３の間に押付けられ巻印車７０の回転を制止しているので、外部衝撃などにより巻印車７０に不測の回転が生じる虞れは実際上ない。
【００５０】
ぜんまい２１の巻上げが進行して、約１５時間の持続時間分のぜんまいの巻上げが行われて第二太陽車４０のつめ車５０が係合つめ５２でみて４．５個分の角度だけ回転されると、図４の（ｃ）に示す状態Ｓ３になる。
【００５１】
この状態Ｓ３では、Ｅ１方向に回転した第二太陽車４０のつめ車５０は、その係合可能領域５２の多数個（Ｎ１＝８）の係合つめ５１，５１，５１，・・・のうちＥ１方向の先頭に位置するつめ５１Ａが前縁５５で隣接する巻印車７０の係合つめ７３の後縁７４に当接する回動位置Ｑ３を採る。
【００５２】
この時点以降においては、角穴車２４及び香箱真かな２７のＢ１方向回転に伴う第二太陽車４０のつめ車５０のＥ１方向回転に応じて、係合可能領域５２の係合つめ５１，５１，・・・が巻印車７０の係合つめ７３，７３，・・・に順次係合して、巻印車７０をＡ１方向に等速回転させる。その結果、図４の（ｄ）に矢印Ａ１で示したように、指針７６がＡ１方向に等速回動されるようになる。
【００５３】
角穴車２４のＢ１方向回転に応じたぜんまい２１の巻上げの進行に伴う巻印車７０のＡ１方向回転は、図４の（ｅ）に示すように、巻印度決めピン８２が巻印車７０の扇形開口８１の側縁８４に当接する位置Ｐ２に達するまで行われる。なお、巻印車７０が位置Ｐ２を採るとき、第二太陽車４０のつめ車５０は、その係合可能領域５２の多数個（Ｎ１＝８）の係合つめ５１，５１，５１，・・・のうちＥ１方向の最後尾に位置する係合つめ５１Ｂが前縁５５で隣接する巻印車７０の係合つめ７３の後縁７４に当接する回動位置Ｑ２を採る。一方、巻印車７０が位置Ｐ２を採るとき、指針７６は、図４の（ｆ）に示したように、目盛７７の最大位置Ｒ２までＡ１方向に振れ、ぜんまい２１の巻上げが完了したことを示す。この最大位置Ｒ２は、フル巻上げを表すべく、例えば、「ＦＵＬＬ」として、表示される。
【００５４】
このフル巻上げ状態Ｓ２に達すると、それ以上のＢ１方向巻上げトルクが角穴車２４に加えられても、ぜんまい２１が香箱２２に対してＢ１方向にスリップ回転する。これに伴い香箱真２３及び香箱真かな２７がＢ１方向に回転し第一遊星伝え車９１及び遊星伝え真９３がＤ１方向に回転しても、巻印車７０の回転が巻印度決めピン８２によって禁止されているので、第二遊星伝え車９２の回転が遊星車機構３０によって禁止されているから、第二遊星伝え車９２が遊星伝え真９３に対してスリップ回転する。
【００５５】
以上のように、図４の（ａ）から（ｆ）に示したパワーリザーブ表示機構２Ａでは、ぜんまい２１が完全に巻き戻された状態Ｓ１とぜんまい２１が１５時間分だけ巻かれた状態Ｓ２との間では、指針７６が初期位置Ｒ１に留まり、ぜんまい２１が１５時間以上巻かれると、ぜんまい２１の残量すなわちパワーリザーブ量Ｒの増分に比例して巻印指針７６がＡ１方向に回転され、パワーリザーブ量Ｒが１５時間〜４０時間の間の状態が、扇形の目盛７７の全域を使って表示される。
【００５６】
ぜんまい２１の巻戻しでは、角穴車２４及び香箱真かな２７のＢ１方向回転の代わりに、香箱車２２及び香箱かな２６のＢ１方向回転が、第一太陽車３１のＥ２方向回転及び遊星車３７，３８の回転を介して、第二太陽車４０に伝達され、第二太陽車４０がＥ２方向に回転される点で、巻上げ過程と異なる。
【００５７】
従って、以下では、機械式時計１の動作に際してぜんまい２１が巻戻される場合について、上記の差異を考慮しつつ巻上げ過程を示した図４の（ａ）〜（ｆ）を利用して説明する。
【００５８】
図４の（ｅ）及び（ｆ）に示したフル巻上げ状態Ｓ２からぜんまい２１の巻戻が開始されると、香箱かな２６のＢ１方向回転に応じて、第二太陽車４０のつめ車５０がＥ２方向に回転される。このとき、つめ車５０の係合可能領域５２の係合つめ５１が巻印車７０をフル巻上げ位置Ｐ２からＡ２方向に回転させる。巻印車７０のＡ２方向回転に伴い、巻印指針７６がＡ２方向に振れて、減少するパワーリザーブ量Ｒを表示する。
【００５９】
ぜんまい２１の巻き戻しが更に進行して、ぜんまい残量すなわちパワーリザーブ量Ｒが、１５時間になると、図４の（ｃ）に示したように、巻印車７０の開口８１の側縁８５に巻印度決めピン８２が当接して、巻印車７０のそれ以上のＡ２回転が禁止され、図４の（ｄ）に示したように、指針７６が表示目盛７７の初期位置Ｒ１に戻り、ぜんまい残量Ｒが少なくなって巻上げ「ＷＩＮＤ」の必要性を伝える。このとき、第二太陽車４０のつめ車５０の係合可能領域５２と巻印車７０の係合つめ７３との係合が終わり、第二太陽車４０のつめ車５０の係合つめ欠落領域５３が巻印車７０の係合つめ７３に対面するようになる。なお、図４の（ｃ）は、巻上げ過程を示していることから、巻戻し過程にある係合つめ５１と係合つめ７３との位置関係（係合つめ５１，７３の前後縁の係合状態）には厳密には対応していない。
【００６０】
ぜんまい２１のそれ以降の巻戻しの際には、香箱かな２６のＢ１方向回転に応じて、第二太陽車４０のつめ車５０が、Ａ２方向に回転して初期位置Ｑ１に戻る。一方、つめ車５０の回転は、巻印車７０に伝達されないので、巻印車７０及び指針７６は初期位置Ｐ１に保たれる。
【００６１】
このパワーリザーブ表示機構２Ａでは、パワーリザーブ量Ｒが、約１５時間程度以下の場合、指針７６が巻上げ「ＷＩＮＤ」を促す初期位置Ｐ１にあるので、ぜんまい２１を巻上げる必要性が、容易且つ確実に視認され得、ぜんまい２１の巻上げを促し得る。また、このパワーリザーブ表示機構２Ａでは、パワーリザーブ量Ｒが２０時間（最大パワーリザーブ時間の半分）以下の場合の表示領域が最小限に抑えられ、パワーリザーブ量Ｒが２０時間（最大パワーリザーブ時間の半分）〜４０時間（最大パワーリザーブ時間）の間の表示領域が最大限に拡げられているから、パワーリザーブ量Ｒが比較的十分にある（例えば、２０時間以上ある）場合のパワーリザーブ量Ｒが高精度に表示され視認され得る。
【００６２】
機械式時計１においては、一般に、パワーリザーブ量Ｒが最大量の半分程度以上の高パワーリザーブ量領域において、歩度が小さく計時・運針が正確に行われ得る。このパワーリザーブ表示機構２Ａでは、特に、時計１が正確に動作される高パワーリザーブ量領域において、巻印指針７６の動きが高精度に拡大表示される。したがって、ユーザは、この拡大表示を利用して、パワーリザーブ量Ｒが所定の高領域にあること及びぜんまい２１を巻く必要があるタイミングを余裕をもって確実に且つ正確に知り得る。その結果、時計１のパワーリザーブ量Ｒを時計１の正確性を維持するために適切なレベル以上に確実に保つことが可能になる。
【００６３】
なお、所望ならば、係合つめ欠落領域５３を、パワーリザーブ量Ｒが小さい領域に対応させる代わりに、パワーリザーブ量Ｒが大きい領域に対応させてもよい。そのようなパワーリザーブ表示機構２Ｂを図５の（ａ）から（ｆ）に基づいて説明する。
【００６４】
図５の（ａ）から（ｆ）に示したパワーリザーブ表示機構２Ｂは、その第二太陽車４０のつめ車５０の係合可能領域５２及び係合つめ欠落領域５３並びに巻印車７０の扇形開口８１の位置が、図４の（ａ）から（ｆ）に示したパワーリザーブ表示機構２Ａの第二太陽車４０のつめ車５０の係合可能領域５２及び係合つめ欠落領域５３並びに巻印車７０の扇形開口８１の位置とは異なる点を除き、パワーリザーブ表示機構２Ａと同様に構成されている。
【００６５】
パワーリザーブ表示機構２Ｂでは、図５の（ａ）からわかるように、ぜんまい２１が完全に巻き戻されパワーリザーブ量Ｒが０（ゼロ）の状態ＳＢ１にある場合、第二太陽車４０のつめ車５０の係合可能領域５２のうちＥ１方向の二番目の係合つめ５１が巻印車７０の係合つめ７３と係合する状態ＱＢ１にあり、巻印車７０の扇形開口８１のうちＡ１方向の端の側縁８５に巻印度決めピン８２が当接した位置ＰＢ１にある。一方、図５の（ｂ）からわかるように、この状態ＳＢ１では、表示指針７６が初期位置ＲＢ１にあって、ぜんまい２１が完全に巻戻され、パワーリザーブ量（ぜんまい残量ないしぜんまい持続時間）Ｒが０であること、すなわち、空「ＥＭＰＴＹ」であることを示す。
【００６６】
パワーリザーブ表示機構２Ｂでは、このパワーリザーブ量Ｒが０の状態ＳＢ１から、香箱真かな２７と一体的な角穴車２４をＢ１方向に回転させてぜんまい２１を巻上げていくと、第二太陽車４０のＥ１方向回転に伴いつめ車５０の係合可能領域５２の係合つめ５１が巻印車７０の係合つめ７３に順次係合して、巻印車７０をＡ１方向に回転させる。ぜんまい２１の巻上げによりパワーリザーブ量Ｒが、２０時間に達する状態ＳＢ２になると、図５の（ｃ）に示したように、第二太陽車４０のつめ車５０の係合可能領域５２のうちＥ１方向の最後尾の係合つめ５１が巻印車７０の係合つめ７３に係合する状態ＱＢ３を採る。このとき、巻印車７０は、Ａ１方向に回転しており、図５の（ｄ）に示したように、巻印指針７６は、パワーリザーブ量Ｒが２０時間であることを表示すべく、目盛７７Ｂの「２０Ｈ」の位置ＲＢ３を指す。一方、この状態ＳＢ３では、図５の（ｃ）からわかるように、巻印度決めピン８２が開口８１のＡ１方向後側の側縁８４の近傍の位置ＰＢ３を採る。
【００６７】
パワーリザーブ表示機構２Ｂでは、このパワーリザーブ量Ｒが２０時間の状態ＳＢ３から、角穴車２４をＢ１方向に更に回転させてぜんまい２１を更に巻上げていくと、第二太陽車４０のつめ車５０の係合可能領域５２の最後尾の係合つめ５１が巻印車７０の係合つめ７３に係合して巻印車７０をＡ１方向に僅かに回転させる。これにより、図５の（ｆ）に示したように、指針７６は目盛７７Ｂの最大位置ＲＢ２を指す。この位置ＲＢ２は、パワーリザーブ量Ｒが約２４時間に達していることを示すべく、最大位置ＲＢ２には、「ｍｉｎ２４Ｈ」及び「ｍａｘ４０Ｈ」の表示がある。なお、このとき、巻印車７０は、巻印度決めピン８２が図５の（ｅ）に示したような巻印車７０の側縁８４に丁度当接する位置ＰＢ２を採る。
【００６８】
パワーリザーブ表示機構２Ｂにおいて、角穴車２４をＢ１方向に更に回転させてぜんまい２１を巻上げていくと、第二太陽車４０のつめ車５０が更にＡ１方向に回転する。しかしながら、この状態では、つめ車５０の係合つめ欠落領域５３が巻印車７０の係合つめ７３に対面する領域にあるので、つめ車５０の回転は巻印車７０には伝達されない。一方、巻印車７０は、係合つめ７３，７３の間にジャンパ６２の躍制つめないし躍制頭部６３が係合されているので、該ジャンパ６２に制止されて静止状態に保たれる。この状態は、ぜんまい２１が最大限に巻上げられるまで続く。ぜんまい２１が最大限に巻上げられた最大パワーリザーブ量Ｒの状態ＳＢ２では、第二太陽車４０のつめ車５０は、図５の（ｅ）に示したように、係合つめ欠落領域５３の最後、即ち、係合可能領域５２の最初の係合つめ５１がその前縁で巻印車７０の係合つめ７３の後縁に実際上係合する回転位置ＱＢ２を採る。
【００６９】
ぜんまい２１の過剰巻上げに際しては、遊星伝え車９０のところでスリップ回転が生じることは、パワーリザーブ機構２Ａの場合と同様である。
【００７０】
また、このフル巻上げ状態ＳＢ３では、第二太陽車４０のつめ車５０の係合つめ５１がＥ２方向の後縁で巻印車７０の係合つめ７３のＡ２方向の前縁に係合しているので、仮に巻印ジャンパ６２の躍制力に打ち勝って巻印車７０がＡ２方向に回転しようとしても、巻印車７０のＡ２方向回転が、第二太陽車４０のつめ車５０の係合つめ５１により阻止され得る。更に、フル巻上げ状態ＳＢ３では、第二太陽車４０のつめ車５０の係合つめ５１がＥ２方向の後縁で巻印車７０の係合つめ７３のＡ２方向の前縁に係合する位置を採ることから、仮に、第二太陽車４０のつめ車５０の係合付け欠落領域５３が巻印車７０の係合つめ７３に対面する領域にある際に巻印車７０が巻印ジャンパ６２の躍制力に打ち勝ってＡ２方向に小回転してジャンパ６２の躍制頭部６３が係合つめ７３の頂部近傍に引っ掛るような事態が生じても、フル巻上げの際に、係合つめ５１が係合つめ７３をＡ１方向に押すので、巻印指針７６のズレが正され得る。
【００７１】
ぜんまい２１の巻き戻しの場合、上記と逆向きのプロセスを採る。すなわち、パワーリザーブ量Ｒが、４０時間から約２４時間に減少するまでは、第二太陽車４０のつめ車５０がＡ２方向に回転されるだけで、巻印車７０は、位置ＰＢ２で静止状態に保たれる。ぜんまい２１の巻き戻しが更に進行すると、Ｅ２方向に回転する第二太陽車４０のつめ車５０の係合つめ５１による巻印車７０のＡ２方向回転が開始され、パワーリザーブ量Ｒが２０時間になると、図５の（ｃ）及び（ｄ）に示す状態ＳＢ２に戻る。なお、巻戻しの際における係合つめ５１，７３の厳密な係合関係が巻上げの際の係合つめ５１，７３の係合位置を示した図５の（ｃ）とは若干異なることは、前述の図４の場合と同様である。ぜんまい２１の巻き戻しが更に進行すると、Ｅ２方向に回転する第二太陽車４０のつめ車５０の係合つめ５１による巻印車７０のＡ２方向回転が進行し、パワーリザーブ量Ｒが０になると、図５の（ａ）及び（ｂ）に示す初期状態ＳＢ１に戻る。
【００７２】
このパワーリザーブ表示機構２Ｂでは、パワーリザーブ量Ｒが小さい状態を目盛７７の実際上全体又は大半の領域を利用して表示するようにしているので、パワーリザーブ量Ｒが小さい状態を拡大して表示し得るから、最大パワーリザーブ量Ｒが大きくても、ぜんまい２１の巻戻しが進んでパワーリザーブ量Ｒが少ない状態を高精度に表示し視認させ得、パワーリザーブ量Ｒを正確に知った上で機械式時計１を利用すること及び機械式時計１の運針が停止した場合に該停止がぜんまい２１の実際上完全な巻戻しによることをユーザに伝え易い。
【００７３】
パワーリザーブ表示機構２Ａにおいて、例えば、１５〜２０時間及び２０〜４０時間のパワーリザーブ量Ｒの領域を拡大表示する代わりに、例えば、０〜約５時間、及び約２０〜４０時間のパワーリザーブ量Ｒの領域を拡大表示して、パワーリザーブ量Ｒがゼロに近付くことを知らしめるようにしてもよい。これは、パワーリザーブ量Ｒとその表示との関係を模式的に示した図６の（ａ）のグラフにおいて、太い実線ＦＡ１で示したパワーリザーブ表示機構２Ａの表示パターンを、想像線ＧＡ１で示した表示パターンに変更することになる。このような変更は、つめ車５０の係合つめ５１のうち係合可能領域５２の一端側の一つの係合つめ５１を係合つめ欠落領域５３の反対側の領域に移動させればよい（実際には、つめ車５０をつめ一つ分だけＥ２方向に相対回転させておけばよい）。
【００７４】
また、パワーリザーブ表示機構２Ｂにおいて、例えば、０〜２０時間及び２０〜約２４時間のパワーリザーブ量Ｒの領域を拡大表示する代わりに、例えば、０〜約２０時間、及び約３６〜４０時間のパワーリザーブ量Ｒの領域を拡大表示して、パワーリザーブ量Ｒがゼロに近付くことを知らしめるようにしてもよい。これは、パワーリザーブ量Ｒとその表示との関係を模式的に示した図６の（ｂ）のグラフにおいて、太い実線ＦＢ１で示したパワーリザーブ表示機構２Ｂの表示パターンを、想像線ＧＢ１で示した表示パターンに変更することになる。このような変更も、つめ車５０の係合つめ５１のうち係合可能領域５２の一端側の一つの係合つめ５１を係合つめ欠落領域５３の反対側の領域移動させればよい（実際には、つめ車５０をつめ一つ分だけＥ１方向に相対回転させておけばよい）。
【００７５】
なお、パワーリザーブ表示機構２では、パワーリザーブ表示機構２Ａ又は２Ｂのようにパワーリザーブ量Ｒが少ない領域又は大きい領域を拡大して表示する代わりに、パワーリザーブ量Ｒが中間の領域（図示のように最大パワーリザーブ量が４０時間である場合、例えば、１０〜３０時間の領域）を拡大して表示するようにしてもよい。
【００７６】
また、以上においては、最大パワーリザーブ量Ｒが４０時間である場合について説明したけれども、最大パワーリザーブ量Ｒが５０時間程度又はそれ以上であってもよい。また、係合可能領域５２の角度範囲φ１及び係合つめ欠落領域５３の角度範囲φ２の相対的な割合φ１／φ２は、この例よりも大きくても小さくてもよい。
【００７７】
なお、以上においては、目盛７７がパワーリザーブ量Ｒの変動を表示可能な範囲では、該パワーリザーブ量Ｒをリニアに表示しているけれども、ノンリニアであってもよい。その場合、第二太陽車４０のつめ車５０の係合つめ５１を不等間隔に配置すればよい。
【図面の簡単な説明】
【００７８】
【図１】本発明による好ましい一実施例のパワーリザーブ表示機構を備えた機械式時計を部分的に示した平面説明図。
【図２】図１の機械式時計の縦断面説明図。
【図３】図１の機械式時計のパワーリザーブ表示機構の一部を拡大して示した平面説明図。
【図４】図１のパワーリザーブ表示機構のうちパワーリザーブ量の高い（大きい）領域を高精度に表示するようにした本発明の一態様のパワーリザーブ表示機構を示したもので、（ａ）はぜんまいが完全に巻戻された状態の輪列の配置を示した平面説明図、（ｂ）の（ａ）の状態における表示指針の表示状態を示した平面説明図、（ｃ）はぜんまいが１０数時間程度巻上げられた状態の輪列の配置を示した平面説明図、（ｄ）の（ｃ）の状態における表示指針の表示状態を示した平面説明図、（ｅ）はぜんまいが完全に巻上げられた状態の輪列の配置を示した平面説明図、（ｆ）の（ｅ）の状態における表示指針の表示状態を示した平面説明図。
【図５】図１のパワーリザーブ表示機構のうちパワーリザーブ量の低い（小さい）領域を高精度に表示するようにした本発明の一態様のパワーリザーブ表示機構を示したもので、（ａ）はぜんまいが完全に巻戻された状態の輪列の配置を示した平面説明図、（ｂ）の（ａ）の状態における表示指針の表示状態を示した平面説明図、（ｃ）はぜんまいが２０時間程度巻上げられた状態の輪列の配置を示した平面説明図、（ｄ）の（ｃ）の状態における表示指針の表示状態を示した平面説明図、（ｅ）はぜんまいが完全に巻上げられた状態の輪列の配置を示した平面説明図、（ｆ）の（ｅ）の状態における表示指針の表示状態を示した平面説明図。
【図６】パワーリザーブ量とその表示との関係を模式的に示したもので、（ａ）は図４のパワーリザーブ表示機構における表示のパターン及びその変形例の表示のパターンを模式的に示したグラフ、（ｂ）は図５のパワーリザーブ表示機構における表示のパターン及びその変形例の表示のパターンを模式的に示したグラフ。
【符号の説明】
【００７９】
１  機械式時計
２，２Ａ，２Ｂ  パワーリザーブ表示機構
１０  地板
１２  第二地板
１４  一番受
１６  回転錘
１８  第二輪列受
２０  香箱
２１  ぜんまい
２２  香箱車
２３  香箱真
２４  角穴車
２５  香箱歯車
２６  香箱かな
２７  香箱真かな
３０  遊星車機構
３１  第一太陽車
３２  第一太陽歯車
３３  第一太陽かな
３４  遊星中間車
３５  円板状本体部
３６  遊星中間歯車
３７  第一遊星車
３８  第二遊星車
４０  第二太陽車
４１  第二太陽かな
５０  つめ車部
５１，７３  係合つめ
５２  係合可能領域
５３  係合つめ欠落領域
５４  係合可能領域と係合つめ欠落領域との境界
６０  巻印表示機構
６２  巻印ジャンパ
６３  躍制用頭部
６４  ばね部
７０  巻印車
７１  円板状本体部
７２  つめ車部
７６  パワーリザーブ表示指針
７７，７７Ｂ  パワーリザーブ表示目盛
８０  回動範囲規正機構
８１  扇形開口
８２  巻印度決めピン
８４，８５  側縁
９０  遊星伝え車
９１  第一遊星伝え車
９２  第二遊星伝え車
９３  遊星伝え真
Ａ１，Ａ２，Ｂ１，Ｂ２，Ｄ１，Ｄ２，Ｅ１，Ｅ２  回転方向
Ｃ１，Ｃ２，Ｃ３，Ｃ４，Ｃ５  中心軸線
Ｐ１，Ｐ２，ＰＢ１，ＰＢ２，ＰＢ３  巻印車の回転位置
Ｑ１，Ｑ２，Ｑ３，ＱＢ１，ＱＢ２，ＱＢ３  第二太陽車のつめ車の回転位置
Ｒ  パワーリザーブ量（ぜんまい（巻戻し）持続時間）
Ｒ１，Ｒ２，ＲＢ１，ＲＢ２，ＲＢ３
Ｓ１，Ｓ２，ＳＢ１，ＳＢ２，ＳＢ３  パワーリザーブ表示機構の状態
α  角度間隔
φ１，φ２  角度範囲
【図１】
2008175737.tif 000003
【図２】
2008175737.tif 000004
【図３】
2008175737.tif 000005
【図４】
2008175737.tif 000006
【図５】
2008175737.tif 000007
【図６】
2008175737.tif 000008